(57)【要約】【課題】ピアスホールの清掃を確実に行うことが可能な洗浄具を提供する。【解決手段】ピアスホールの清掃具１は、断面ほぼ円形の複数本の金属製線材を一体的にねじることによって、表面に螺旋状の凹条２ａと凸条２ｂを交互に形成した挿入部材３と、この挿入部材３をその一端に突設したハンドル部とからなる。清掃具１は、ハンドル部を持って挿入部材３を、消毒液剤を収容した容器（図示せず）に浸して、前記凹条２ａに前記消毒液剤を含ませ、ピアスホールに挿し込み、往復動させて扱くことによって、ピアスホール内壁の皮膚に対して、前記消毒液剤による洗浄と、前記凸条２ｂによる垢などの掻き出しとを同時に行って、清掃がなされる。【選択図】　　　　図２
2004049596.tif 000002
【特許請求の範囲】
【請求項１】
複数本の線材を一体的にねじることによって形成した挿入部材と、この挿入部材をその一端に突設したハンドル部とからなるピアスホールの清掃具。
【請求項２】
螺旋を形成する線材間に空隙が存在することを特徴とする請求項１に記載のピアスホールの清掃具。
【請求項３】
横断面がほぼ円形の複数本の金属製線材を一体的にねじることによって、表面に螺旋状の凹条と凸条を交互に形成した挿入部材と、この挿入部材をその一端に突設したハンドル部とからなるピアスホールの清掃具。
【請求項４】
横断面がほぼ円形の複数本の金属製線材を、それらの間に線状又は板状の可撓体を挟んで一体的にねじることによって、螺旋軸周囲に、螺旋状に可撓体を突出させてなるブラシ部を備えた挿入部材と、この挿入部材をその一端に突設したハンドル部とからなるピアスホールの清掃具。
【請求項５】
挿入部材に、静電植毛加工を施すことを特徴とする請求項１〜請求項３のいずれか１項に記載のピアスホールの清掃具。
【請求項６】
挿入部材を曲線的又は曲げてなることを特徴とする請求項１〜請求項５のいずれか１項に記載のピアスホールの清掃具。
【発明の詳細な説明】
【０００１】
【発明が属する技術分野】
近年、耳たぶ、鼻、唇、ボディなどの身体の一部に穿設したピアスホールに、ピアスを装飾品として付けることはごく一般的になっているが、身体の一部に穿設したピアスホールは、身体に孔を開けるという行為により、本来の皮膚という防護壁を除去し、その内壁に新たな皮膚を生成させることになる。この新たな皮膚は、本来の皮膚とは異なり、炎症や金属アレルギーを起こし易いうえ、ピアスホールは孔形状であるため、埃、脂肪、垢が溜まり、前記炎症などを起こしたり、臭いを放ったりし易い。したがって、ピアスホールは、清掃して良好な衛生状態を保ち、皮膚の代謝機能を活性化して安定をはかる必要がある。本発明は、ピアスホール内壁の皮膚を良好な衛生状態となすための清掃具に関する。
【０００２】
【従来の技術】
従来のピアスホールの洗浄は、ピアスホールの外から消毒液剤を塗布することによって行っていた。また、ピアスホールの清掃は、細長く表面に凹凸がない棒状の清掃具をピアスホールに挿し込み通過させて行うのが一般的であった。
【０００３】
【発明が解決しようとする課題】
従来の消毒液剤のみを用いる洗浄は、消毒液剤がピアスホールの内部に浸透しにくく、充分な洗浄を行いにくいという問題があり、また、棒状の清掃具を用いる清掃作業は、棒状部分の表面は平らなので、ピアスホール内壁に付着した垢などを掻き落としにくく、やはり充分な清掃を行い難いという問題があった。さらに、上記消毒液剤と清掃具を組み合わせて洗浄及び清掃を行っても、上述のように、清掃具の表面が平らなため、垢などを掻き出しにくいうえ、ピアスホールに浸入した消毒液剤は前記棒状部分で直ちに押し出されてしまうため、期待する洗浄効果が得られないという問題があった。
【０００４】
本発明は上記問題を解消することを課題とし、該課題を解決したピアスホールの清掃具を提供することを目的とする。
【０００５】
【課題を解決するための手段】
上記目的を達成するために、請求項１に記載の本発明のピアスホールの清掃具は、複数本の線材を一体的にねじることによって形成した挿入部材と、この挿入部材をその一端に突設したハンドル部とからなるものである。
【０００６】
また、請求項２に記載の本発明のピアスホールの清掃具は、前記請求項１の構成に加えて、螺旋を形成する線材間に空隙が存在することを特徴とするものである。
【０００７】
また、請求項３に記載の本発明のピアスホールの清掃具は、横断面がほぼ円形の複数本の金属製線材を一体的にねじることによって、表面に螺旋状の凹条と凸条を交互に形成した挿入部材と、この挿入部材をその一端に突設したハンドル部とからなるものである。
【０００８】
また、請求項４に記載の本発明のピアスホールの清掃具具は、横断面がほぼ円形の複数本の金属製線材を、それらの間に線状又は板状の可撓体を挟んで一体的にねじることによって、螺旋軸周囲に、螺旋状に可撓体を突出させてなるブラシ部を備えた挿入部材と、この挿入部材をその一端に突設したハンドル部とからなるものである。
【０００９】
また、請求項５に記載の本発明のピアスホールの清掃具は、請求項１〜請求項３のいずれか１項に記載の発明の構成に加えて、挿入部材に、静電植毛加工を施すことを特徴とするものである。
【００１０】
また、請求項６に記載の本発明のピアスホールの清掃具は、請求項１〜請求項５のいずれか１項に記載の発明の構成に加えて、挿入部材を曲線的又は曲げてなることを特徴とするものである。
【００１１】
【発明の実施の形態】
以下に、本発明を耳のピアスホールに適用した第１の実施形態を添付図面の図１〜図３に基づいて説明する。ここにおいて、図１は清掃具の正面図、図２は清掃具の部分拡大正面図、図３は使用状態を耳の一部を破断して示す斜視図である。
【００１２】
図１及び図２に示すように、清掃具１は、二つ折りしたステンレス製線材を一体的にねじることによって、表面に螺旋状に伸びる凹条２ａと凸条２ｂを形成した挿入部材３と、この挿入部材３をその先端に突設したハンドル部４とからなる。
【００１３】
上記のように構成した清掃具１は、ハンドル部４を持って挿入部材３を、消毒液剤を収容した容器（図示せず）に浸して、前記凹条２ａに前記消毒液剤を含ませ、図３に示すように、ピアスホール５に挿し込み、往復動させて扱くことによって、ピアスホール５内壁の皮膚に対して、前記消毒液剤による洗浄と、螺旋面２による垢などの掻き出しとを同時に行って、清掃がなされる。
【００１４】
前記挿入部材３の凹条２ａは、軸心側が狭く、この軸心側から外側に向かって徐々に広くなる形状をしているので、消毒液剤を保持しやすいうえ、ピアスホール５内壁に接する消毒液剤の表面積も大きいため、洗浄性能を向上する。また、凹条２ａと交互に配置される凸条２ｂによって、扱き動作において垢などを掻きだす作用が強化される。さらに、前記凹条２ａ及び凸条２ｂの形成は、表面加工を施すのではなく、二つ折りした線材を捩じることによってなされるので、バリや刺などが存在しない。なお、上記のように線材を捩じって作成する挿入部材３は、直径は０．４２ｍｍ〜７．０ｍｍのものが製作可能であり、使用に際しては、対象となるピアスホール５の内径より若干大径のものを選択すると好適である。
【００１５】
続いて、本発明の第２の実施形態を添付図面の図４に基づいて説明する。ここにおいて、図４は清掃具の部分拡大正面図である。
【００１６】
図４に示すように、清掃具２１は、二つ折りにした横断面ほぼ円形の２本のステンレス製線材を、それらの間に可撓体たる複数の毛材２２を挟んで一体的にねじることによって、螺旋軸２３周囲に、螺旋状に交互に並び、それらの先端で凹条２４ａと凸条２４ｂを交互に形成するように、毛材２２を複数突出させてなるブラシ部２５を備えた挿入部材２６と、この挿入部材２６をその一端に突設したハンドル部（図示せず）とからなる。
【００１７】
上記のように構成した清掃具１は、ハンドル部（図示せず）を持って挿入部材２６を、消毒液剤を収容した容器（図示せず）に浸して、前ブラシ部２５の内側に消毒液剤を含ませ、ピアスホール（図示せず）に挿し込み（図３参照）、往復動させて扱くことによって、ピアスホール内壁の皮膚に対して、前記消毒液剤による洗浄と、ブラシ部２５による垢などの掃き出しとを同時に行って、清掃がなされる。
【００１８】
ブラシ部２５は充分な消毒液剤を保持することが可能なので、洗浄性能を向上する。また、凸条２４ｂによって、扱き動作において垢などを掻きだす作用が強化される。
【００１９】
続いて、本発明の第３の実施形態を添付図面の図５に基づいて説明する。ここにおいて、図５は清掃具の部分拡大正面図である。
【００２０】
図５に示すように、清掃具３１は、二つ折りにした２本のステンレス製線材を、それらの間に可撓体たる複数の繊維材３２を挟んで一体的にねじることによって、螺旋軸３３周囲に前記繊維材３２が螺旋状の凹条３４ａと凸条３４ｂを交互に形成するように伸びるブラシ部３５を備えた挿入部材３６と、この挿入部材３６をその一端に突設したハンドル部（図示せず）とからなる。
【００２１】
上記のように構成した清掃具３１は、ハンドル部（図示せず）を持って挿入部材３６を、消毒液剤を収容した容器（図示せず）に浸して、繊維剤３２に前記消毒液剤を含ませ、ピアスホールに挿し込み（図３参照）、往復動して扱くことによって、ピアスホール内壁の皮膚に対して、前記消毒液剤による洗浄と、ブラシ部３５による垢などの掃き出しとを同時に行って、清掃がなされる。
【００２２】
ブラシ部３５は充分な消毒液を保持することが可能なので、洗浄性能を向上する。また、凸条３４ｂによって、扱き動作において垢などを掻きだす作用が強化される。
【００２３】
なお、本発明は、上記各実施形態になんら限定されるものではなく、例えば、挿入部材３，２６，３６は、直線状ではなく、曲線的又は直線的に曲げてもよいとともに、ステンレス製ではなく、他の金属材を用いたものであってもよい。さらに、螺旋を形成する各線材間に空隙を設けて消毒液剤の保持量の増大を図ることができるが、この空隙は、図４又は図５に示す縦断の毛材２２又は繊維材３２を物理的あるいは科学的手段で除去することができる。またさらに、毛材２２を、静電植毛加工を施すことによって、螺旋軸２３周囲に突設してもよい。
【００２４】
【発明の効果】
以上説明したように、請求項１に記載した本発明によれば、挿入部材の表面を凹凸面に形成でき、この凹部に消毒液剤を保持しうるので、洗浄性能が優れているうえ、前記凸部によって垢などを効率的に掻きだすので、ピアスホールの清掃を確実に行うことができるという効果を奏する。
【００２５】
また、請求項２に記載した本発明によれば、請求項１に記載の発明の効果に加えて、線材間に空隙が存在するので、消毒液剤をより多く保持しやすいという効果を奏する。
【００２６】
また、請求項３に記載した本発明によれば、凹条には充分な消毒液剤が保持され、洗浄性能が優れているうえ、前記ブラシ部の凸条によって垢などを効率的に掻きだすので、ピアスホールの清掃を確実に行うことができるという効果を奏する。
【００２７】
また、請求項４に記載した本発明によれば、可撓体には充分な消毒液剤が保持され、洗浄性能が優れているうえ、前記可撓体によって垢などを効率的に掻きだすので、ピアスホールの清掃を確実に行うことができるという効果を奏する。
【００２８】
また、請求項５に記載した本発明によれば、挿入部材に、静電植毛加工を施して毛材を形成するので、その製造が容易であるという効果を奏する。
【００２９】
また、請求項６に記載した本発明によれば、上記請求項１〜請求項４のいずれか１項に記載の発明の効果に加えて、ボディピアス用の曲線的又は直線的に曲がっているピアスホールの清掃に好適であるという効果を奏する。
【図面の簡単な説明】
【図１】第１実施形態における清掃具の正面図。
【図２】第１実施形態における清掃具の部分拡大正面図。
【図３】第１実施形態における使用状態を耳の一部を破断して示す斜視図斜視図。
【図４】第２実施形態における清掃具の部分拡大正面図。
【図５】第３実施形態における清掃具の部分拡大正面図。
【符号の説明】
１　清掃具
２ａ　凹条
２ｂ　凸条
３　挿入部材
４　ハンドル部
５　ピアスホール
２１　清掃具
２２　毛材
２３　螺旋軸
２４ａ　凹条
２４ｂ　凸条
２５　ブラシ部
２６　挿入部材
３１　清掃具
３２　繊維材
３３　螺旋軸
３４ａ　凹条
３４ｂ　凸条
３５　ブラシ部
３６　挿入部材
【図１】
2004049596.tif 000003
【図２】
2004049596.tif 000004
【図３】
2004049596.tif 000005
【図４】
2004049596.tif 000006
【図５】
2004049596.tif 000007